(57)【要約】【課題】耐久性および信頼性を向上させることができ、製造の容易さを提供することのできる歯科用および医療用超音波チップとその製造方法を提供する。【解決手段】歯科用および医療用超音波チップの製造方法は、粉末を含む成形混合物を準備するステップと、成形混合物を射出してチップボディおよびチップボディの表面に一体に突出形成される少なくとも１つのチップ突起を含む中間成形体を製造するステップと、中間成形体を焼結するステップとを含む。【選択図】図３
2012090896.tif 000002
【特許請求の範囲】
【請求項１】
粉末を含む成形混合物を準備するステップと、
前記成形混合物を射出してチップボディおよび前記チップボディの表面に一体に突出形成される少なくとも１つのチップ突起を含む中間成形体を製造するステップと、
前記中間成形体を焼結するステップと
を有することを特徴とする歯科用および医療用超音波チップの製造方法。
【請求項２】
前記チップ突起は、被接触部位に点接触、線接触、面接触のうちの少なくともいずれか１つの方式で接触可能な形状であることを特徴とする請求項１に記載の歯科用および医療用超音波チップの製造方法。
【請求項３】
前記チップ突起は、円錐、多角錐、円錐台、多角錐台、円柱、多面体、および楕円体のうちの少なくともいずれか１つの形状であることを特徴とする請求項２に記載の歯科用および医療用超音波チップの製造方法。
【請求項４】
前記チップ突起は、垂直断面が三角形で螺旋方向または円周方向に沿って連続的に突出した形状と、垂直断面が四角形で螺旋方向または円周方向に沿って連続的に突出した形状のうちの少なくともいずれか１つの形状であることを特徴とする請求項２に記載の歯科用および医療用超音波チップの製造方法。
【請求項５】
前記チップ突起は、互いに同一のまたは互いに異なるサイズを有することを特徴とする請求項１に記載の歯科用および医療用超音波チップの製造方法。
【請求項６】
前記チップボディは、円形の断面または多角形の断面を有することを特徴とする請求項１に記載の歯科用および医療用超音波チップの製造方法。
【請求項７】
前記成形混合物はバインダーを含んで準備され、
前記中間成形体を焼結する前に前記バインダーの少なくとも一部が除去されるよう前記中間成形体を脱脂するステップをさらに有することを特徴とする請求項１に記載の歯科用および医療用超音波チップの製造方法。
【請求項８】
チップボディと、
前記チップボディと一体をなすように前記チップボディの表面に突出形成される少なくとも１つのチップ突起とを有し、
前記チップボディおよび前記チップ突起は、成形混合物を前記チップボディおよび前記チップ突起に対応する形状に射出した後に焼結して形成されることを特徴とする歯科用および医療用超音波チップ。
【請求項９】
前記チップ突起は、被接触部位に点接触、線接触、面接触のうちの少なくともいずれか１つの方式で接触可能な形状に形成されることを特徴とする請求項８に記載の歯科用および医療用超音波チップ。
【請求項１０】
前記チップ突起は、円錐、多角錐、円錐台、多角錐台、円柱、多面体および楕円体のうちの少なくともいずれか１つの形状であることを特徴とする請求項９に記載の歯科用および医療用超音波チップ。
【請求項１１】
前記チップ突起は、垂直断面が三角形で螺旋方向または円周方向に沿って連続的に突出した形状と、垂直断面が四角形で螺旋方向または円周方向に沿って連続的に突出した形状のうちの少なくともいずれか１つの形状であることを特徴とする請求項９に記載の歯科用および医療用超音波チップ。
【請求項１２】
前記チップ突起は互いに同一のまたは互いに異なるサイズを有するように形成されることを特徴とする請求項８に記載の歯科用および医療用超音波チップ。
【請求項１３】
前記チップボディは、円形の断面または多角形の断面を有することを特徴とする請求項８に記載の歯科用および医療用超音波チップ。
【発明の詳細な説明】
【技術分野】
【０００１】
本発明は、歯科用および医療用超音波チップ並びにその製造方法に関し、より詳しくは、耐久性および信頼性を向上させることができ、製造の容易さを提供することのできる歯科用および医療用超音波チップ並びにその製造方法に関する。
【背景技術】
【０００２】
歯科用超音波チップは、超音波の振動エネルギーを用いてチップを振動させて歯に蒸着した歯石および他の付着した異物を除去したり神経治療（根管手術）のために使用されており、その他にもインプラント手術、歯周手術、口腔手術、および上顎の顎顔面手術等の各種の歯科治療のために広く用いられている。また、医療用超音波チップは、骨に対する整形外科的な施術である骨切り術（osteotomy）と穿孔術（drilling）、薄く皮質骨（cortical bone）を除去する施術等と、美容目的の施術である機械的な鋸の歯による振動運動、往復運動、および研磨道具による骨のやすりがけ（rasp）等、すべての施術時に軟部組織（神経、血管、筋肉等）の損傷を最小化して施行するように用いることができる。
【０００３】
一般的に歯科用超音波チップは、先端にいく程縮小した断面積を有し、尖った先端を有するように形成され、チップの表面には突起を形成するための粒子（例えば、ダイヤモンド粒子）を有するコーティング層がコーティングされている。実質的に歯科用超音波チップと施術部位との間の接触および摩擦は、チップの表面から突出するコーティング層のダイヤモンド粒子が治療部位に接触することによってなされるようになる。
【０００４】
ところが、従来における歯科用超音波チップは、切削および研磨等の通常の機械加工によって形成されるように構成することにより、精密な加工が困難で、不良の発生率が高いという問題がある。また、従来は歯科用超音波チップの表面にコーティング層を形成するための別の加工工程が加えられることにより、製造工数およびコストが増加するという問題がある。
【０００５】
このように従来の歯科用超音波チップは、機械加工によって形成されているため、加工精密度を一定以上に向上させることが難しく、機械加工が容易な素材しか使用できないという制約があり、製造単価が上昇するだけでなく、加工速度が遅いことから大量生産に極めて不利であるという問題があった。
【０００６】
さらに、従来の歯科用超音波チップは、歯との反復的な接触および摩耗によってチップ表面のコーティング層が局部的に剥がれるという問題があり、これによって治療効率が低下し、医学的な安定性が低下するという問題がある。特に、従来の歯科用超音波チップのコーティング層の粒子（ダイヤモンド粒子）は、コーティング層から容易に離れてしまう問題があり、これは耐久性および寿命の低下を招くことから、治療の精密性および便宜性を阻害するという問題がある。
【０００７】
したがって、近年には耐久性および信頼性を向上させながら製造の容易さを提供するための歯科用超音波チップに関する様々な検討が行われているものの、まだ十分でないのが実状である。
【先行技術文献】
【特許文献】
【０００８】
【特許文献１】国際公開第２０１０／１０７１６４号パンフレット
【発明の概要】
【発明が解決しようとする課題】
【０００９】
本発明の目的は、製造工程の容易さを提供して製造単価を低減させることのできる歯科用および医療用超音波チップとその製造方法を提供することにある。
【００１０】
また、本発明の目的は、製造が迅速かつ容易で大量生産に有利であり、加工の精密度を向上させることができ、また素材の制約のない歯科用および医療用超音波チップとその製造方法を提供することにある。
【００１１】
また、本発明の目的は、耐久性および信頼性を向上させることができ、寿命を延長することのできる歯科用および医療用超音波チップとその製造方法を提供することにある。
【００１２】
また、本発明の目的は、治療効率を向上させ、治療の精密性および便宜性を向上させることのできる歯科用および医療用超音波チップとその製造方法を提供することにある。
【課題を解決するための手段】
【００１３】
前述した本発明の目的を達成するための本発明の好適な実施形態によれば、歯科用および医療用超音波チップの製造方法は、粉末を含む成形混合物を準備するステップと、成形混合物を射出してチップボディおよびチップボディの表面に一体に突出形成される少なくとも１つのチップ突起を含む中間成形体を製造するステップと、中間成形体を焼結するステップとを含む。
【００１４】
粉末には、金属粉末を用いてもよく、場合によっては金属粉末と共に非金属粉末を混合して用いてもよく、その他に各種の物理的な特性を向上させるための機能性添加剤を混合してもよい。
【００１５】
前記チップ突起の形状、サイズ、および配置は、要求される条件および設計仕様に応じて様々に変更してもよい。一例として、チップ突起は、被接触部位に点接触、線接触、面接触のうちの少なくともいずれか１つの方式によって接触可能な形状で提供することができる。例えば、チップ突起は、円錐、多角錐（例えば、四角錐、三角錐等）、円錐と多角錐の錐台（frustum）（円錐台、多角錐台等）、円柱、多面体（五面体、六面体等）および楕円体のうちの少なくともいずれか１つの形状で提供することができる。他の例として、チップ突起が一種の三角ねじのような形態に垂直断面が三角形に螺旋方向や円周方向に沿って連続的に突出した形状、または一種の四角ねじのような形態で垂直断面が四角形に螺旋方向や円周方向に沿って連続的に突出した形状のうちの少なくともいずれか１つの形状で提供することができる。
【００１６】
チップボディは、所定の長さを有するように直線状に形成されてもよく、場合によっては折曲した形態で形成されてもよい。このようなチップボディは、先端にいく程縮小した断面積を有するように提供されることが好ましく、要求される条件に応じて円形断面または三角形や四角形のような多角形の断面を有するように提供してもよい。
【００１７】
他の例として、チップボディが全体的に同じ厚さおよび幅を有するように形成されてもよく、この場合のチップ突起は、チップボディの先端にいく程小さいサイズを有するように形成されることが好ましい。この場合、歯科用の超音波チップの全体的な形状は互いに異なるサイズを有する複数のチップ突起によって一種のテーパー状に具現してもよい。もちろん、すべてのチップ突起が互いに同じサイズおよび形状を有するように形成されてもよい。
【００１８】
また、成形混合物は、バインダーを含んで準備してもよく、中間成形体を焼結する前にバインダーの少なくとも一部が除去されるよう中間成形体を脱脂するステップをさらに追加してもよい。中間成形体を脱脂するステップにおいて、バインダーは通常の脱脂方法で除去してもよい。一例として、バインダーは、溶媒を用いる溶媒脱脂ステップおよび熱を用いる熱間脱脂ステップで除去してもよい。
【００１９】
本発明の超音波チップは、超音波の振動エネルギーを用いて振動され、歯に蒸着した歯石および他に付着した異物を除去するために用いられることはもちろん、様々な神経治療（根管手術）のために用いてもよく、その他にもインプラント手術、歯周手術、口腔手術、および上顎の顎顔面手術等の各種の歯科治療のために広く用いてもよい。また、本発明の超音波チップは、前記歯科治療以外に骨に対する整形外科的な施術である骨切り術と穿孔術、薄く皮質骨を除去する施術等と、美容目的の施術である機械的な鋸の歯による振動運動、往復運動、および研磨道具による骨のラスプ等、すべての施術時に軟部組織（神経、血管、筋肉等）の損傷を最小化して施行するように用いることができる。
【発明の効果】
【００２０】
本発明に係る歯科用および医療用超音波チップとその製造方法によれば、別途の追加的な加工を排除し、粉末射出工程によってチップ突起を一体に有する歯科用超音波チップを製造することによって、製造工程の容易さを提供し、製造単価を低減させることができる。
【００２１】
また、本発明によれば、歯科用および医療用超音波チップの製造工程を簡素化することができるため大量生産に有利であり、機械加工に比べて加工精密度が著しく向上するだけでなく、機械加工が容易でない素材を用いる場合であっても歯科用超音波チップを容易に製造することができる。
【００２２】
さらに、本発明によれば、チップボディとチップ突起が別途の部品でない一体化した１つの部品として提供されるため、歯科用超音波チップと歯の被接触部位との間の接触によるチップ突起の分離および離脱を防止するか、あるいは最小化できると共に、耐久性および信頼性を向上させることができる。
【００２３】
また、本発明によれば、製品の寿命を延長させると同時に、治療の精密性および便宜性を向上させることができる効果がある。
【００２４】
また、本発明によれば、チップ突起のサイズ、形状、個数、および配置に対して制約することなく、要求される条件および設計仕様に応じて様々なチップ突起を有する歯科用および医療用超音波チップを容易に製造することができる。さらに、本発明によれば、要求される条件に応じて規則的な配列にチップ突起を配置することができる。
【００２５】
また、本発明によれば、中間成形体が焼結されることによって、中間成形体内の気孔が除去され、中間成形体の収縮と同時に中間成形体を構成するチップ突起も収縮するため、超小型のサイズを有するチップ突起の形成を可能にする。
【図面の簡単な説明】
【００２６】
【図１】本発明の一実施形態に係る歯科用および医療用超音波チップの製造方法を説明するためのブロック図である。
【図２】本発明の一実施形態に係る歯科用および医療用超音波チップの製造方法を説明するためのブロック工程図である。
【図３】本発明の一実施形態に係る歯科用および医療用超音波チップの構造を示す斜視図である。
【図４】本発明の一実施形態に係る歯科用および医療用超音波チップの構造を示す側面図である。
【図５】図４のＩ−Ｉ線の断面図である。
【図６】本発明の他の実施形態に係る歯科用および医療用超音波チップの構造を示す斜視図である。
【図７】本発明の他の実施形態に係る歯科用および医療用超音波チップの構造を示す斜視図である。
【図８】本発明の他の実施形態に係る歯科用および医療用超音波チップの構造を示す斜視図である。
【図９】本発明の他の実施形態に係る歯科用および医療用超音波チップの構造を示す斜視図である。
【図１０】本発明の他の実施形態に係る歯科用および医療用超音波チップの構造を示す斜視図である。
【図１１】本発明の他の実施形態に係る歯科用および医療用超音波チップの構造を示す斜視図である。
【発明を実施するための形態】
【００２７】
以下、添付された図面を参照して本発明の好適な実施形態を詳細に説明するが、本発明が実施形態によって制限されたり限定されたりすることはない。本発明の説明において、公知の機能あるいは構成に対して具体的な説明は本発明の要旨を明瞭にするため省略することができる。
【００２８】
図１および図２は、本発明の一実施形態に係る歯科用および医療用超音波チップの製造方法を説明するためのブロック図および工程図である。また、図３は本実施形態に係る歯科用および医療用超音波チップの構造を示す斜視図であり、図４は本実施形態に係る歯科用および医療用超音波チップの構造を示す側面図であり、図５は図４のＩ−Ｉ線の断面図である。
【００２９】
これらの図に示すように、本実施形態に係る歯科用および医療用超音波チップは、後述する一連の製造過程によって製造することができる。
【００３０】
本実施形態に係る歯科用および医療用超音波チップ１００は、粉末を含む成形混合物を準備するステップＳ１０と、成形混合物を射出してチップボディ２００およびチップボディ２００の表面に一体に突出形成される少なくとも１つのチップ突起３００を含む中間成形体１００'を製造するステップＳ２０と、中間成形体１００'を焼結するステップＳ３０によって製造してもよい。
【００３１】
まず、粉末を含む成形混合物３０を準備する。成形混合物３０は、通常の射出成形機２１０への供給が容易に行われるよう、一定のサイズの原料（feedstock）単位で形成してもよい。
【００３２】
粉末には、通常の金属粉末、またはこれらの混合物を用いてもよく、場合によっては金属粉末の他に通常の非金属粉末および非金属粉末の混合物を混合して準備してもよく、その他に各種の物理的な特性と生体的な合性を向上させるための機能性添加剤を混合して準備してもよい。一例として、粉末として、ステンレススチール（例えば、３１６、３０４のようなオーステナイト（austenite）系、４２０、４４０のようなマルテンサイト（martensite）系、または、６３０、６３１のような析出硬化（precipitation hardening）等）または耐摩耗鋼（例えば、ＳＫＤ、ＳＣＭ等）、チタニウム合金（例えば、Ｔｉ、Ｔｉ−６Ａｌ−４Ｖ等）等の金属粉末、またはこれらの混合物を用いてもよく、場合によっては金属粉末以外に超硬合金（ＷＣ−Ｃｏ）、セラミック（ジルコニア、アルミナ等）等のような非金属粉末および非金属粉末の混合物を混合して用いてもよい。
【００３３】
さらに、成形混合物は、バインダーと共に準備してもよく、粉末およびバインダーは所定の混合比に適正温度で混合して準備してもよい。一例として、成形混合物を準備するステップにおいて、粉末を含む基本素材にこの基本素材の総体積対比３０〜７０％のバインダーを混合し、射出成形の可能な成形混合物を準備してもよい。粉末とバインダーとの比率は、求められる条件に応じて様々に変更することができ、粉末とバインダーとの比率に応じて本発明が制限されたり限定されたりすることはない。
【００３４】
ここで、バインダーは、射出過程において原材料である粉末が金型内部に均一に射出されるよう流動性を与えると同時に、金型によって整形される中間成形体１００'の強度向上を目的に混合される。バインダーとして、通常の単一バインダーを用いてもよく、場合によっては互いに異なる溶融点を有する様々な種類のバインダーを共に用いてもよい。一例として、バインダーは、パラフィンワックス（paraffin wax）、ポリエチレン（polyethylene）、ポリプロピレン（polypropylene）、ステアリクサン（stearic acid）等を定量混合した構成としてもよい。その他に、バインダーとして、結合剤、潤滑剤、可塑剤、および界面活性剤等、その混合物を添加してもよい。さらに、成形混合物を準備するステップにおいて、粉末とバインダーは通常の二軸押出型ミキサー、またはツインブレードミキサー等によって均一に混合してもよい。
【００３５】
次に成形混合物３０を用いて粉末射出成形（Powder Injection Molding：ＰＩＭ）工法によってチップボディ２００およびチップボディ２００と一体をなすようにチップボディ２００の表面に突出形成される少なくとも１つのチップ突起３００を含む中間成形体１００'を成型する。
【００３６】
すなわち、成形混合物３０は、射出成形機２１０のシリンダ２１１内に送られて可塑化されながら輸送され、シリンダ２１１のノズルから金型２０に射出されてから冷却固化されることによって、歯科用超音波チップ状の中間成形体１００'を取り出すことができる。
【００３７】
一方、中間成形体１００'を製造するステップにおいて、チップ突起３００の形状、サイズ、および配置は要求される条件および設計仕様に応じて様々に変更してもよい。一例として、チップ突起３００は、被接触部位に点接触、線接触、面接触のうちの少なくともいずれか１つの方式によって接触可能な形状で提供することができる。例えば、チップ突起３００は、円錐、多角錐（例えば、四角錐、三角錐等）、円錐と多角錐の錐台（frustum）（円錐台、多角錐台等）、円柱、多面体（五面体、六面体等）および楕円体のうちの少なくともいずれか１つの形状で提供することができる。これと異なって、チップ突起が一種の三角ねじのような形態に垂直断面が三角形で螺旋方向や円周方向に沿って連続的に突出した形状、または一種の四角ねじのような形態に垂直断面が四角形で螺旋方向や円周方向に沿って連続的に突出した形状のうちの少なくともいずれか１つの形状で提供することができる。（図３、図６〜図１０参照）
【００３８】
また、中間成形体１００'を製造するステップにおいて、チップボディ２００は、所定の長さを有するよう直線状に形成されてもよく、場合によって曲線状に形成されてもよい。このようなチップボディ２００は、通常のテーパー状に先端にいく程縮小した断面積を有するよう提供されることが好ましく、要求される条件に応じて円形または多角形の断面（例えば、三角形または四角形）を有するよう提供してもよい。
【００３９】
他の例として、チップボディが全体的に同じ厚さおよび幅を有するように形成されてもよく、この場合には前述したチップ突起は、チップボディの近位端（proximal end）から先端にいく程小さいサイズを有するように形成されてもよい。このような構造から歯科用および医療用超音波チップの全体的な形状は互いに異なるサイズを有する複数のチップ突起によって一種のテーパー状に具現することができる。もちろん場合によっては、すべてのチップ突起が互いに同じサイズおよび形状を有するように形成されてもよい。
【００４０】
その後、中間成形体１００'に含まれるバインダーのうち、少なくとも一部が除去されるよう通常の脱脂装備（図示せず）を用いた脱脂工程（debinding）を行ってもよい。
【００４１】
このとき、バインダーが互いに異なる特性（例えば、溶融点）を有する複数のバインダーを含んで構成される場合、バインダーは実質的に数回に渡る脱脂工程によって除去してもよい。例えば、バインダーは、溶媒を用いた溶媒脱脂工程と熱を用いた熱間脱脂工程によって除去してもよい。
【００４２】
すなわち、バインダーの中でパラフィンワックス等のワックス類が除去されるように中間成形体を溶媒脱脂するステップは、Ｎ−ヘキサン（N‐hexane）、ヘプタン（heptane）、シンナー（thinner）等のような溶媒を用いた通常の溶媒脱脂方法によって具現してもよく、バインダーの中で残りが除去されるよう溶媒脱脂された中間成形体に熱を加えて熱間脱脂するステップは、通常の熱分解脱脂方法にしたがって具現してもよい。場合によって、前述した脱脂工程に適用される脱脂方法の代わりに、電解脱脂、超音波脱脂等他の通常の脱脂方法を適用してもよい。
【００４３】
さらに、熱間脱脂のステップにおける金属粉末の場合、還元性または非活性の雰囲気を維持する加熱炉内で中間成形体を加熱して熱間脱脂中に発生し得る中間成形体の酸化を排除し、熱間脱脂後に熱間脱脂炉の温度を上昇させて脱脂した中間成形体の強度を向上させる予備焼結工程を行うことが好ましい。
【００４４】
最後に中間成形体１００'の気孔を除去し、機械的な強度を有するように一定の温度条件と雰囲気を維持する通常の焼結炉（図示せず）で焼結工程を行うことによって、歯科用および医療用超音波チップの製造を完了する。
【００４５】
この過程で要求される焼結温度は、中間成形体１００'の素材である粉末の種類、粒度、純度および添加物の種類に応じて若干の差があるが、ステンレス粉末の場合、およそ１０００℃〜１５００℃内外の焼結で温度条件を維持させた状態で焼結を実施し、焼結時間は要求物性に応じて異なるが、およそ１分〜５時間程が適当である。
【００４６】
好ましくは、バインダーを除去するための熱間脱脂ステップと、バインダーが除去された中間成形体を焼結させるステップとを別に分離せずに焼結炉によって同時に進めることが好ましい。この場合、溶媒脱脂過程によって一部バインダーが除去された中間成形体を焼結する過程において、熱間脱脂が並行されることができるため、それに伴う工程が縮小され、従って、より優れた製品の量産性を期待することができる。
【００４７】
一方、一般的な機械加工によっては数十ミクロンのサイズのチップ突起を加工することは極めて難しい。しかし、本実施形態では上記のように中間成形体１００'が焼結されることによって中間成形体１００'内の気孔が除去され、中間成形体１００'を収縮し得るが、中間成形体１００'を収縮することによってチップ突起３００もまた収縮し得るため、超小型のサイズを有するチップ突起３００の形成が可能になる。さらに、射出成形による中間成形体１００'の密度が均一であるため、Ｘ、Ｙ、Ｚという３方向の焼結収縮率が同一であってもよく、これによって各チップ突起３００も均一なサイズを維持することができる。
【００４８】
このような製造方法によって製造された超音波チップ１００は、超音波周波数に振動し、歯に蒸着した歯石およびその他に付着した異物を除去するために用いることはもちろん、様々な神経治療（根管手術）のために用いてもよく、その他にもインプラント手術、歯周手術、口腔手術、および上顎の顎顔面の手術等の各種の歯科治療のために幅広く用いられてもよい。また、本実施形態に係る超音波チップ１００は、歯科治療の他に骨に対する整形外科的な施術である骨切り術と穿孔術、皮質骨を除去する施術等と美容目的の施術である機械的な鋸の歯による振動運動、往復運動および研磨道具による骨のラスプ等、すべての施術時に軟部組織（神経、血管、筋肉等）の損傷を最小化して施行するように用いてもよい。
【００４９】
以下では、本実施形態に係る歯科用および医療用超音波チップ１００において、図３〜図５に示すように、チップボディ２００、チップボディ２００と一体をなすようにチップボディ２００の表面に突出形成される少なくとも１つのチップ突起３００を含んで構成され、チップボディ２００が先端にいく程縮小した直径を有するように形成され、チップ突起３００が被接触部位に点接触が可能になるように円錐状に形成される例について説明する。
【００５０】
上述したようにチップボディ２００とチップ突起３００は、それぞれ別途の部品でない粉末射出成形によって一体に連結された１つの部品として提供される。
【００５１】
チップボディ２００は、円形の断面を有し、所定の長さを有するように直線状に形成される。本実施形態ではチップボディが円形の断面を有し、先端にいく程縮小した直径を有するように形成されることを例に挙げて説明しているが、場合によってはチップボディが先端にいく程縮小する多角形の断面を有するようチップボディの表面に複数のテーパー面（図示せず）を形成してもよい。一例として、本実施形態ではチップボディの表面は４個のテーパー面に分割してもよく、他の例として、チップボディの表面が２個、３個、または５個以上のテーパー面に分割してもよい。
【００５２】
チップ突起３００は、尖った頂点を有し、円形の底面を有する円錐状に形成されてチップボディ２００と一体をなすようにチップボディ２００の表面に全面的に形成される。このとき、チップ突起３００の軸は底面に対して垂直に配置してもよく、場合によってはチップ突起の軸が底面に対して所定の傾きに傾斜するように配置してもよい。このようなチップ突起３００の傾斜面の角度（α）およびチップ突起３００の高さ（ｈ）は、要求される条件および治療環境に応じて様々に変更してもよい。
【００５３】
以下では、本発明の他の実施形態に係る歯科用および医療用超音波チップを説明する。図６〜図１１は、本発明の他の実施形態に係る歯科用および医療用超音波チップの構造を示す斜視図である。さらに、前述した構成と同一および同一の相当部分に対しては、同一または同一の参照符号を付与し、それに対する詳細な説明は省略することにする。
【００５４】
図６に示すように、本発明の他の実施形態に係る歯科用および医療用超音波チップは、チップボディ２００、チップボディ２００と一体をなすようにチップボディ２００の表面に突出形成される少なくとも１つのチップ突起３１０を含んで構成され、チップボディ２００は先端にいく程縮小した断面積（円形の断面または多角形の断面）を有するように形成されてもよく、チップ突起３１０は尖った頂点を有し、四角形の底面を有する四角錐状に形成されてチップボディ２００と一体をなすようにチップボディ２００の表面に突出形成されてもよい。
【００５５】
また、図７に示すように、本発明の他の実施形態に係る歯科用および医療用超音波チップは、チップボディ２００、チップボディ２００と一体をなすようにチップボディ２００の表面に突出形成される少なくとも１つのチップ突起３２０を含んで構成され、チップボディ２００は先端にいく程縮小した断面積（円形の断面または多角形の断面）を有するように形成されてもよく、チップ突起３２０は尖った頂点を有し、三角形の底面を有する三角錐状に形成されてチップボディ２００と一体をなすようにチップボディ２００の表面に突出形成されてもよい。
【００５６】
一方、図８に示すように、本発明の他の実施形態に係る歯科用および医療用超音波チップは、チップボディ２００、チップボディ２００と一体をなすようにチップボディ２００の表面に突出形成される少なくとも１つのチップ突起３３０を含んで構成され、チップボディ２００は先端にいく程縮小した断面積（円形の断面または多角形の断面）を有するように形成されてもよく、チップ突起３３０は先端に円形（または多角形）の接触面を有する錐台状に形成され、チップボディ２００と一体をなすようにチップボディ２００の表面に突出形成されてもよい。ここで、錐台とは、通常の円錐の錐台である円錐台（斜円柱）と通常の四角錐の錐台である四角錐台（斜角の平行六面体）および通常の三角錐の錐台である三角錐台（斜角の平行五面体）を含むことはもちろん、通常の円柱と六面体、五面体等のような多面体を含んでもよい。このような錐台の形状および構造は要求される条件および設計仕様に応じて様々に変更してもよく、錐台の形状および構造によって本発明が制限されたり限定されたりすることはない。
【００５７】
前述した実施形態には、錐台の形状に形成されたチップ突起３３０の接触面（上面）と底面とが同じサイズおよび形状をなすように構成された一例を説明したが、場合によっては通常の円錐台または角錐台のようにチップ突起の接触面（上面）と底面が互いに異なるサイズ（または形状）を有するよう構成してもよい。
【００５８】
また、図９に示すように、本発明の他の実施形態に係る歯科用および医療用超音波チップは、チップボディ２００、チップボディ２００と一体をなすようにチップボディ２００の表面に突出形成される少なくとも１つのチップ突起３４０を含んで構成され、チップボディ２００は先端にいく程縮小した断面積（円形の断面または多角形の断面）を有するように形成されてもよく、チップ突起３４０は、半球と楕円体の形状に形成されてチップボディ２００と一体をなすようにチップボディ２００の表面に突出形成されてもよい。
【００５９】
また、図１０に示すように、本発明の他の実施形態に係る歯科用および医療用超音波チップは、チップボディ２００、チップボディ２００と一体をなすようにチップボディ２００の表面に突出形成される少なくとも１つのチップ突起３５０を含んで構成され、チップボディ２００は先端にいく程縮小した断面積（円形の断面または多角形の断面）を有するように形成されてもよく、チップ突起３５０は、一種の三角ねじのような形態に垂直断面が三角形で螺旋方向または円周方向に沿って連続的に突出した形状に形成され、チップボディ２００と一体をなすようにチップボディ２００の表面に突出形成されてもよい。
【００６０】
また、図１１に示すように、本発明の他の実施形態に係る歯科用および医療用超音波チップは、チップボディ２００、チップボディ２００と一体をなすようにチップボディ２００の表面に突出形成される少なくとも１つのチップ突起３６０を含んで構成され、チップボディ２００は、先端にいく程縮小した断面積（円形の断面または多角形の断面）を有するように形成されてもよく、チップ突起３６０は一種の螺角ねじのような形態に垂直断面が四角形で螺旋方向または円周方向に沿って連続的に突出した形状に形成され、チップボディ２００と一体をなすようにチップボディ２００の表面に突出形成されてもよい。
【００６１】
前述および図示した本発明の各実施形態では、一種類のチップ突起が適用されることを例に挙げて説明したが、場合によっては互いに異なる形態を有するように形成された前述の各チップ突起が同時に適用されてもよい。
【００６２】
上述したように、本発明の好ましい実施形態を参照しながら説明したが、該当技術分野の熟練した当業者であれば、特許請求の範囲に記載する本発明の思想および領域から逸脱しない範囲以内で本発明を多様に修正および変更ができることを理解するであろう。
【符号の説明】
【００６３】
１００      歯科用および医療用超音波チップ
１００’    中間成形体
２００      チップボディ
３００      チップ突起
【図１】
2012090896.tif 000003
【図２】
2012090896.tif 000004
【図３】
2012090896.tif 000005
【図４】
2012090896.tif 000006
【図５】
2012090896.tif 000007
【図６】
2012090896.tif 000008
【図７】
2012090896.tif 000009
【図８】
2012090896.tif 000010
【図９】
2012090896.tif 000011
【図１０】
2012090896.tif 000012
【図１１】
2012090896.tif 000013